(57)【特許請求の範囲】
【請求項１】
電力の消費をセーブするスリープモードを含む複数の動作モードを有する印刷装置であって、
利用者の操作により入力されたデータを受け付けると共に前記利用者への通知を表示する操作表示部と、
前記スリープモードの状態を設定する複数の設定値と、前記設定値ごとに、機器の省エネルギー基準を定めた所定の規格に基づき算出した一定期間の推定消費電力量及び前記スリープモードからのウォームアップ時間と、を記憶するスリープモード設定値テーブルと、
前記スリープモードの状態を設定する際に、前記利用者により前記操作表示部から入力された前記設定値をキーとして前記スリープモード設定値テーブルを参照して前記推定消費電力量及び前記ウォームアップ時間を抽出して前記操作表示部に前記スリープモードの状態を設定する際の目安として表示し、前記操作表示部における前記利用者の操作により前記設定値を設定済みとする設定手段と、
を備えたことを特徴とする印刷装置。
【請求項２】
前記所定の規格は、
国際エネルギースタープログラムにより定めた規格であって、前記機器の特性と印刷速度から前記一定期間の消費電力量を定めたものであることを特徴とする請求項１記載の印刷装置。
【請求項３】
加熱及び加圧により印刷媒体にトナーを定着させる定着部のヒータと、
前記操作表示部を背後から照射する操作パネルバックライトと、を有し、
前記スリープモードにおいて、前記ヒータ及び前記操作パネルバックライトへの電力供給を遮断又は低減することを特徴とする請求項１又は２記載の印刷装置。
【請求項４】
前記設定値は、
印刷動作の終了から前記スリープモードに移行するまでの移行時間及び前記ヒータのヒータ温度であることを特徴とする請求項１〜３のいずれか１項に記載の印刷装置。
【請求項５】
前記設定手段は、更に、
前記設定済みの前記ヒータ温度をキーにして、前記スリープモード設定値テーブルを検索し、前記ヒータ温度に対応する複数の前記移行時間、前記推定消費電力量、及び前記ウォームアップ時間を抽出して前記操作表示部に表示することを特徴とする請求項４記載の印刷装置。
【請求項６】
前記設定手段は、更に、
前記設定済みの前記移行時間をキーにして、前記スリープモード設定値テーブルを検索し、前記移行時間に対応する複数の前記ヒータ温度、前記推定消費電力量、及び前記ウォームアップ時間を抽出して前記操作表示部に表示することを特徴とする請求項４又は５記載の印刷装置。
【発明の詳細な説明】
【技術分野】
【０００１】
本発明は、省電力機能を備える印刷装置に関するものである。
【背景技術】
【０００２】
従来、印刷装置は、省電力機能を備えており、予め、省電力移行時間を設定しておくことにより、印刷動作終了後、設定された省電力移行時間が経過してもコンピュータ等の上位装置からの印刷データを受信しなかったときには、電力消費量の大きい定着器等への電力供給をセーブし、省電力モードであるスリープモードに移行して消費電力を抑えるようにしている。
【０００３】
このような印刷装置において、消費電力量を算出してこれを表示し、利用者に消費電力量を把握させる技術が提供されている。例えば、下記の特許文献１には、国際エネルギースタープログラムの規格値と実際の消費電力量とを表示させるとで、利用者に現在のエネルギーの消費電力量が適正かどうかを判断させることを可能とする印刷装置の技術が記載されている。
【先行技術文献】
【特許文献】
【０００４】
【特許文献１】特開２００９−１０７１４１号公報
【発明の概要】
【発明が解決しようとする課題】
【０００５】
しかしながら、従来の印刷装置では、利用者が節電設定を行う際に、利用者にとって設定値に対する省電力の効果が判りにくい、或いは、省電力効果とウォームアップ時間とのトレードオフが判りにくいという課題があった。
【課題を解決するための手段】
【０００６】
本発明の印刷装置は、電力の消費をセーブするスリープモードを含む複数の動作モードを有する印刷装置であって、利用者の操作により入力されたデータを受け付けると共に前記利用者への通知を表示する操作表示部と、スリープモード設定値テーブルと、設定手段とを備えている。
【０００７】
前記スリープモード設定値テーブルは、前記スリープモードの状態を設定する複数の設定値と、前記設定値ごとに、機器の省エネルギー基準を定めた所定の規格（例えば、国際エネルギースタープログラムにより定めた規格）に基づき算出した一定期間の推定消費電力量及び前記スリープモードからのウォームアップ時間と、を記憶するテーブルである。更に、前記設定手段は、前記スリープモードの状態を設定する際に、前記利用者により、前記操作表示部から入力された前記設定値をキーとして、前記スリープモード設定値テーブルを参照して前記推定消費電力量及び前記ウォームアップ時間を抽出して前記操作表示部に前記スリープモードの状態を設定する際の目安として表示し、前記操作表示部における前記利用者の操作により前記設定値を設定済みとするものである。
【発明の効果】
【００１０】
本発明の印刷装置によれば、利用者がスリープモードへの移行時間及びヒータ温度を選択したときに、消費電力量及びウォームアップ時間の推定値を操作表示部に表示するようにしたので、利用者は、設定値に対する省電力効果及びウォームアップ時間を容易に理解することができる。このため、利用者は、利便性と省電力とのトレードオフをより適切に行うことが可能となる。
【図面の簡単な説明】
【００１２】
【図１】図１は本発明の実施例１における印刷装置１０の概略を示す構成図である。
【図２】図２は図１の操作表示部１４に表示されるスリープモード設定画面２０−１の例を示す図である。
【図３】図３はスリープモード移行時間選択時において、図１の操作表示部１４に表示されるスリープモード設定画面２０−２の例を示す図である。
【図４】図４はヒータ温度選択時において、図１の操作表示部１４に表示されるスリープモード設定画面２０−３の例を示す図である。
【図５】図５は図１のフラッシュメモリ１８に格納されているスリープモード設定値テーブル３０を示す図である。
【図６】図６は実施例１におけるスリープモード有効ボタン２１ａ操作時の表示設定プログラム１６ａの動作を示すフローチャートである。
【図７】図７は実施例１のスリープモード設定時においてスリープモードへの移行時間一覧表を表示する際のフローチャートである。
【図８】図８は実施例１のスリープモード設定時においてヒータ温度一覧表を表示する際のフローチャートである。
【図９】図９は本発明の実施例２における印刷装置１０Ａの概略を示す構成図である。
【図１０】図１０は実施例２におけるエコモード設定画面５０の例を示す図である。
【図１１】図１１は実施例２におけるエコモード設定値テーブル６０を示す図である。
【図１２】図１２は図１０のヘルプボタン５２が押下されたときに表示されるエコモード設定へルプ画面７０の例を示す図である。
【図１３】図１３は本実施例２におけるエコモード設定時のエコモード設定プログラム１６ｂの動作を示すフローチャートである。
【図１４】図１４はエコモードヘルプ画面７０を表示するときのエコモード設定プログラム１６ｂの動作を示すフローチャートである。
【発明を実施するための形態】
【００１３】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１４】
（実施例１の画像形成装置の構成）
図１は、本発明の実施例１における印刷装置１０の概略を示す構成図である。
本実施例１における印刷装置１０は、例えば、電子写真方式のページプリンタであって、複数の動作モードを備えている。動作モードには、印刷装置１０が印刷稼働中である印刷モードと、印刷動作を終了して次の印刷動作に備えて待機する待機モードと、印刷動作終了後に所定の時間印刷要求がなかった場合に電力消費をセーブして電力の消費を軽減させるスリープモードとがある。
【００１５】
印刷装置１０は、制御手段（例えば、中央処理装置、以下「ＣＰＵ」という。）１１と、印刷部１２と、定着部１３と、操作表示部１４と、操作パネルバックライト１５と、リードオンリメモリ（以下「ＲＯＭ」という。）１６と、ランダムアクセスメモリ（以下「ＲＡＭ」という。）Ｉ７と、フラッシュメモリ１８とを有し、これらがバス１９を介して相互に接続されている。
【００１６】
ＣＰＵ１１は、ＲＯＭ１６に格納されている制御プログラムを実行することによって印刷装置１０の各機能を実現させる部分である。ＣＰＵ１１は、動作モードに応じて各部を統括制御し、例えば、スリープモードの際には、動作クロックを低減することにより省電力化を図るように構成されている。
【００１７】
印刷部１２は、ＣＰＵ１１の制御により用紙等の印刷媒体に画像形成を行う機能を有している。定着部１３は、印刷媒体上に形成されたトナーによる画像を熱と圧力を加えることにより印刷媒体に定着させる機能を有している。定着部１３は、ヒータにより熱定着を行うために消費電力が大きい。スリープモードの際には電源供給をＣＰＵ１１の制御により、停止、若しくは低減することにより省電力化を図るように構成されている。
【００１８】
操作表示部１４は、文字や図形等で構成される各種画面を表示する液晶表示装置（以下「ＬＣＤ」という。）と、このＬＣＤ上に設けられた情報入力のためのタッチパネルとを有している。スリープモードの設定の操作をするためのタッチパネル式の各種ボタン、及び各種設定値等の表示データを表示するように構成されている。操作パネルバックライト１５は、操作表示部１４のＬＣＤを背面から照らす光源部であり、印刷装置１０が稼動状態の際には、電力を供給されて操作表示部１４を照らすが、スリープモードの際には、電源の供給を停止するように構成されている。
【００１９】
ＲＯＭ１６は、印刷装置１０を制御する各種の制御プログラムと、この制御プログラムの１つであり、スリープモードの消費電力量の推定値及びスリープモードからのウォームアップ時間を操作表示部１４に表示し、操作表示部１４における利用者の操作により選択された設定値を設定済みとする第１の設定手段（例えば、表示設定プログラム）１６ａが予め格納されているメモリである。このＲＯＭｌ６は、印刷装置１０の電力が遮断されても記憶内容が保持される不揮発性メモリである。
【００２０】
ＲＡＭｌ７は、ＣＰＵ１１が制御プログラムを実行するときに処理対象となる各種データや処理途中のデータを記憶するメモリである。このＲＡＭｌ７は、電源の遮断によって記憶していたデータが消去される揮発性メモリである。
【００２１】
フラッシュメモリ１８には、スリープモード設定値テーブル３０が格納されている。このスリープモード設定値テーブル３０には、スリープモードへの移行時間、及び定着部１３のヒータのヒータ温度と、この移行時間及びヒータ温度ごとに、機器の省エネルギー基準を定めた所定の規格（例えば、国際エネルギースタープログラムの規格）に準じて行われた実験及び計算から得られた一定期間の推定消費電力量、及びスリープモードから印刷モードへの切り替わり時間であるウォームアップ時間のデータが格納されている。
【００２２】
国際エネルギースタープログラムは、世界７カ国で実施されているオフィス機器の国際的省エネルギー制度である。国際エネルギースタープログラムでは、製品区分に応じて基準式を定め、その基準式に印刷速度を入力することによって、規格値が定められる。一方、実測値は、国際エネルギースタープログラムで定められたＴＥＣ（標準消費電力）測定方式で算出され、典型的な一定期間中の通常運転における消費電力量が標準的消費電力値[ＫＷｈ]として測定される。この国際エネルギースタープログラムの規格値、並びにＴＥＣ測定方式による実測値は、省エネルギー性能を計るための基準となっている。
【００２３】
図２は、図１の操作表示部１４に表示されるスリープモード設定画面２０−１の例を示す図である。
【００２４】
スリープモード設定画面２０−１において、有効ボタン２１ａ及び無効ボタン２１ｂは、スリープモードを有効又は無効にするための表示ランプ付きボタンで、有効ボタン２１ａ又は無効ボタン２１ｂを選択して押下することにより、押下されたボタンが点灯し、スリープモードを有効又は無効にするように構成されている。
【００２５】
有効ボタン２１ａが選択されたときには、印刷動作終了後に予め設定された移行時間が経過しても印刷要求がなかった場合には、スリープモードに移行し、無効ボタン２１ｂが選択されたときには、移行時間が経過してもスリープモードに移行しないようになっている。
【００２６】
移行時間選択ボタン２２は、印刷装置１０が印刷動作終了後、コンピュータ等の上位装置からの印刷データを受信しなかったときに、スリープモードに移行する時間を選択するボタンである。黒三角マーク押下によりその左側に移行時間が順次表示されるように構成されている。ヒータ温度選択ボタン２３は、スリープモードにおける定着部１３のヒータの温度を、高温度、中温度、低温度に設定、或いは、ヒータの電源をオフ状態にする機能を有している。黒三角マーク押下によりその左側にヒータ温度の区分である高、中、低、及びＯＦＦが順次表示されるように構成されている。
【００２７】
スリープモード中のヒータ温度が高いと、消費電力量が高くなるが、スリープモードからのウォームアップ時間は短くなる。一方、スリープモード中のヒータの温度が低いと、消費電力量が低くなるが、スリープモードからのウォームアップ時間は長くなる。
【００２８】
実行ボタン２４は、実行ボタン２４の押下により、移行時間選択ボタン２２で選択した移行時間及びヒータ温度選択ボタン２３で選択したヒータ温度に基づき、印刷装置１０の消費電力量の推定値[ＫＷｈ]及びスリープモードからのウォームアップ時間[秒]の計算を表示設定プログラム１６ａに実行させる機能を有している。
【００２９】
計算された消費電力量の推定値[ＫＷｈ]は、推定値表示エリア２５に表示され、ウォームアップ時間[秒]は、ウォームアップ時間表示エリア２６に表示されるように構成されている。
【００３０】
決定ボタン２７は、決定ボタン２７の押下により、移行時間選択ボタン２２で選択した移行時間及びヒータ温度選択ボタン２３で選択したヒータ温度を確定して設定済みとする機能を有している。キャンセルボタン２８は、キャンセルボタン２８の押下により、設定済みの移行時間及びヒータ温度をキャンセルしてデフォルト値を設定する機能を有している。
【００３１】
図３は、スリープモード移行時間選択時において、図１の操作表示部１４に表示されるスリープモード設定画面２０−２の例を示す図である。
【００３２】
スリープモード設定画面２０−２において、移行時間選択ボタン２２で移行時間が例えば、１０分のように選択されると、表示設定プログラム１６ａによって、既に設定済みのヒータ温度、例えば、中をキーとして、利用者にとって設定の目安となる複数の移行時間、推定消費電力量、及びウォームアップ時間の移行時間一覧表が作成され、移行時間一覧表示エリア２９ａに表示されるようになっている。一覧表示のうち利用者が選択した移行時間１０分の行が高輝度表示、又は逆転表等され、その前後の行には、他の移行時間例えば、１分、５分、１５分、２０分、３０分、６０分の例が参考として表示されるようになっている。
【００３３】
図４は、ヒータ温度選択時において、図１の操作表示部１４に表示されるスリープモード設定画面２０−３の例を示す図である。
【００３４】
スリープモード設定画面２０−３において、ヒータ温度選択ボタン２３によりヒータ温度が例えば、中のように選択されると、表示設定プログラム１６ａによって、既に設定済みの移行時間、例えば１０分をキーとして利用者にとって設定の目安となる複数のヒータ温度、推定消費電力量、及びウォームアップ時間の一覧表がヒータ温度一覧表示エリア２９ｂに表示されるようになっている。一覧表示のうち利用者が選択したヒータ温度（例えば、中）の行が目立つように高輝度表示、又は逆転表等され、その前後の行には、他のヒータ温度、例えば、高、低、オフ（ＯＦＦ）の例が表示されるようになっている。
【００３５】
図５は、図１のフラッシュメモリ１８に格納されているスリープモード設定値テーブル３０を示す図である。
【００３６】
スリープモード設定値テーブル３０は、スリープモード移行時間[分]と、定着部１３のヒータ温度[°Ｃ]と、消費電力量推定値[ＫＷｈ]と、スリープモードからのウォームアップ時間[秒]とから構成されている。消費電力量推定値[ＫＷｈ]と、スリープモードからのウォームアップ時間[秒]とは、国際エネルギースタープログラムに準じて行われた実験および計算から得られた数値である。
【００３７】
（実施例１の動作）
本実施例１の動作として、次の（１）〜（３）の場合について説明する。
【００３８】
（１）  利用者の操作によりスリープモード設定画面２０を用いてスリープモードの設定、移行時間、ヒータ温度の設定を行い、実行ボタン２４を押下することにより、表示設定プログラム１６ａは、消費電力量及びウォームアップ時間の推定値を計算して表示する。
【００３９】
（２）  スリープ移行時間を選択する際に複数の設定値の選択肢と共に推定消費電力量及びウォームアップ時間のリストを表示する。
【００４０】
（３）  ヒータ温度を選択する際に複数の設定値の選択肢と共に推定消費電力量及びウォームアップ時間のリストを表示する。
【００４１】
（１）  消費電力量及びウォームアップ時間の推定値の計算と表示
図６は、実施例１におけるスリープモード有効ボタン２１ａ操作時の表示設定プログラム１６ａの動作を示すフローチャートである。
【００４２】
操作表示部１４において、スリープモード設定画面２０−１を呼び出す操作が行われ、図２のスリープモード設定画面２０−１が表示される。そこで、スリープモード有効ボタン２１ａが選択され、印刷装置１０においてスリープモードが有効となる。
【００４３】
ステップＳ１において、移行時間及びヒータ温度の設定値が利用者により入力され、表示設定プログラム１６ａは、これらの値を取得する。ステップＳ２において、実行ボタン２４が押下されると、表示設定プログラム１６ａは、入力値をキーとして、フラッシュメモリ１８に格納されているスリープモード設定値テーブル３０から該当する推定消費電力量とスリープモードからのウォームアップ時間を取得する。
【００４４】
ステップＳ３において、表示設定プログラム１６ａは、取得した推定消費電力量をスリープモード設定画面２０−１の推定値表示エリア２５に、取得したウォームアップ時間をウォームアップ時間表示エリア２６に表示する。
【００４５】
図６では図示しないが、その後、決定ボタン２７が押下されると表示設定プログラム１６ａは、入力された設定値を有効として設定済みとする。
【００４６】
（２）  移行時間一覧表の表示
図７は、実施例１のスリープモード設定時においてスリープモードへの移行時間一覧表を表示する際のフローチャートである。
【００４７】
図７の説明においては、図６で説明した動作が既に実行されており、印刷装置１０は、スリープモード有効で、移行時間及びヒータ設定温度が設定済みであることを前提にする。
【００４８】
図３に示すスリープモード設定画面２０−２の通り、既に、スリープモード有効が選択され、設定済みの移行時間、及びヒータ温度設定値が表示されている。
【００４９】
ステップＳ１１において、利用者により移行時間ボタン２２が押下されると、表示設定プログラム１６ａは、既に設定済みのヒータ温度の設定値、例えば中を取得する。ステップＳ１２において、スリープモード設定画面２０−２に表示するための移行時間一覧表のエリアをＲＡＭ１７に確保する。
【００５０】
ステップＳ１３において、スリープ移行時間の初期値、例えば１分と設定済みのヒータ温度設定値（中）とをキーとして、フラッシュメモリ１８に格納されているスリープモード設定値テーブル３０から、該当する推定消費電力量（１３．５７[ＫＷｈ]）とウォームアップ時間（２０[秒]）とを取得する。ステップＳ１４において、キー値（移行時間＝１分、ヒータ温度設定値＝中）と取得値（推定消費電力量＝１３．５７[ＫＷｈ]、ウォームアップ時間＝２０[秒]）の組を移行時間一覧表に追加する。
【００５１】
ステップＳ１５において、移行時間の選択肢を例えば５[分]に変更する。ステップＳ１６において、すべての選択肢が実行されたかが判定される。まだ実行されていないので、ステップＳ１３へ戻り、ステップＳ１３，Ｓ１４をスリープ移行時間の選択肢の数（例えば、５分、１０分、１５分、２０分、３０分、６０分の６回）だけ繰り返し実行する。
【００５２】
ステップＳ１６において、すべての選択肢を実行したと判定されたなら、ステップＳ１７へ進み、ステップＳ１７において、移行時間一覧表をスリープモード設定画面２０−２の移行時間一覧表示エリア２９ａに表示する。
【００５３】
図７では図示しないが、その後、決定ボタン２７が押下されると表示設定プログラム１６ａは、入力された設定値を有効として設定済みとする。
【００５４】
（３）  ヒータ温度一覧表の表示
図８は、実施例１のスリープモード設定時においてヒータ温度一覧表を表示する際のフローチャートである。
【００５５】
図８の説明においては、図６で説明した動作が既に実行されており、印刷装置１０は、スリープモード有効で、移行時間及びヒータ温度が設定済みであることを前提にする。
【００５６】
図４に示すスリープモード設定画面２０−３の通り、既に、スリープモード有効が選択され、設定済みの移行時間、及びヒータ温度設定値が表示されている。
【００５７】
ステップＳ２１において、利用者によりヒータ温度選択ボタン２３が押下されると、表示設定プログラム１６ａは、設定済みの移行時間、例えば１０分を取得する。ステップＳ２２において、スリープモード設定画面２０−３に表示するためのヒータ温度一覧表のエリアをＲＡＭ１７に確保する。
【００５８】
ステップＳ２３において、設定済みのループ移行時間例えば１０分と、ヒータ温度設定値の初期値例えば高とをキーとして、フラッシュメモリ１８に格納されているスリープモード設定値テーブル３０から、該当する推定消費電力量（１４．１３[ＫＷｈ]）とウォームアップ時間（２０[秒]）とを取得する。ステップＳ２４において、キー値（移行時間＝１０分、ヒータ温度設定値＝高）と取得値（推定消費電力量＝１４．１３[ＫＷｈ]、ウォームアップ時間＝２０[秒]）の組をヒータ温度一覧表に追加する。
【００５９】
ステップＳ２５において、ヒータ温度設定値を例えば中に変更する。ステップＳ１６において、すべての選択肢が実行されたかが判定される。まだ実行されていないときには、ステップＳ２３へ戻り、ステップＳ２３，Ｓ２４をスリープ移行時間の選択肢の数（例えば、中、低、ＯＦＦの３回）だけ繰り返し実行する。
【００６０】
ステップＳ２６において、すべての選択肢を実行したと判定されたなら、ステップＳ２７へ進み、ステップＳ２７において、ヒータ温度一覧表をスリープモード設定画面２０−３のヒータ温度一覧表示エリア２９ｂに表示する。
【００６１】
図８では図示しないが、その後、決定ボタン２７が押下されると表示設定プログラム１６ａは、入力された設定値を有効として設定済みとする。
【００６２】
（実施例１の効果）
本実施例１の印刷装置１０によれば、次の（ａ）〜（ｃ）のような効果がある。
【００６３】
（ａ）  利用者がスリープモードへの移行時間及びヒータ温度を選択したときに、表示設定プログラム１６ａにより、消費電力量及びウォームアップ時間の推定値を操作表示部１４へ表示するようにしたので、利用者は、設定値に対する省電力効果を容易に理解することができる。このため、利用者は、利便性と省電力とのトレードオフをより適切に行うことが可能となる。
【００６４】
（ｂ）  利用者が移行時間を選択したときに、表示設定プログラム１６ａにより、既に設定済みのヒータ温度をキーとして、利用者にとって設定の目安となる複数の移行時間、推定消費電力量、及びウォームアップ時間の移行時間一覧リストを移行時間一覧表示エリア２９ａに表示するようにしたので、利用者は、より簡便に、利便性と省電力とのトレードオフを適切に行うことが可能となる。
【００６５】
（ｃ）  利用者がヒータ温度を選択したときに、表示設定プログラム１６ａにより、既に設定済みの移行時間をキーとして、利用者にとって設定の目安となる複数のヒータ温度、推定消費電力量、及びウォームアップ時間の移行時間一覧リストを移行時間一覧表示エリア２９ａに表示するようにしたので、利用者は、より簡便に、利便性と省電力とのトレードオフを適切に行うことが可能となる。
【実施例２】
【００６６】
（実施例２の構成）
図９は、本発明の実施例２における印刷装置１０Ａの概略を示す構成図であり、実施例１を示す図１中の要素と共通の要素には共通の符号が付されている。
【００６７】
本実施例２の印刷装置１０Ａは、実施例１の印刷装置１０と同様にスリープモードを有している。スリープモードとは、装置の幾つかの部位への電源供給を遮断、若しくは低減することにより省電力化を行うモードのことをいう。
【００６８】
印刷装置１０Ａは、スリープモードにおける省電力のレベルを示す複数のエコモードレベルと、これに対応する設定値、推定消費電力量、及びウォームアップ時間との複数の組み合わせを記憶したエコモード設定テーブル６０を有している。エコモードにおける設定値には、スリープモードへの移行時間と、ヒータ温度と、カラー印刷又はモノクロ印刷の区分とがある。
【００６９】
本実施例２における印刷装置１０Ａは、実施例１における印刷装置１０と同様のＣＰＵ１１、印刷部１２、定着部１３、操作表示部１４、操作パネルバックライト１５、及びＲＡＭ１７と、実施例１の印刷装置１０とは異なるＲＯＭ１６Ａ及びフラッシュメモリ１８Ａとを有し、これらがバス１９を介して相互に接続されている。
【００７０】
ＲＯＭ１６Ａには、印刷装置１０Ａを制御する各種の制御プログラムと、この制御プログラムの１つであり、スリープモードの消費電力量の推定値及びスリープモードからのウォームアップ時間を操作表示部１４に表示する実施例１と同様の表示設定プログラム１６ａと、エコモードを設定する第２の設定手段（例えば、エコモード設定プログラム）１６ｂとが予め格納されている。
【００７１】
フラッシュメモリ１８Ａは、実施例１と同様のスリープモード設定値テーブル３０や、エコモード設定値テーブル６０等が格納されているメモリである。
【００７２】
図１０は、実施例２におけるエコモード設定画面５０の例を示す図であり、実施例１を示す図２中の要素と共通の要素には共通の符号が付されている。
【００７３】
有効ボタン２１ａ及び無効ボタン２１ｂは、スリープモードを有効又は無効にするための表示ランプ付きボタンであり、有効ボタン２１ａ又は無効ボタン２１ｂを選択して押下することにより、押下されたボタンが点灯し、スリープモードを有効又は無効にするように構成されている。
【００７４】
有効ボタン２１ａが選択されたときには、印刷動作終了後、予め設定された移行時間が経過しても印刷要求がなかった場合には、スリープモードに移行し、無効ボタン２１ｂが選択されたときには、移行時間が経過してもスリープモードに移行しないようになっている。
【００７５】
レベル設定ボタン５１は、エコモードのレベルを設定するボタンで、レベルが高いほど省電力の効果は高くなるようになっているが、その半面、スリープモードからのウォームアップ時間が長くなるようになっている。黒三角マーク押下によりその左側にレベルが順次表示されるように構成されている。
【００７６】
ヘルプボタン５２は、エコモードを設定する際にヘルプ画面を表示するためのボタンである。決定ボタン５３は、選択したレベル設定を有効にし、関連付けられた各設定値を設定済みとする機能を有している。キャンセルボタン５４は、キャンセルボタン５４の押下により、設定済みの移行時間及びヒータ温度をキャンセルしてデフォルト値を設定する機能を有している。
【００７７】
図１１は、実施例２におけるエコモード設定値テーブル６０を示す図である。
本エコモード設定テーブル６０は、フラッシュメモリ１８Ａに格納されており、エコモードレベル（例えば、１〜５）ごとに、スリープモード移行時間、定着部１３のヒータ温度の設定値、及びカラー印刷又はモノクロ印刷の区分（図１１のエコモード設定値テーブル６０の例では「カラーモード」と表示されている。）の設定値の組み合わせと、これらの組み合わせに対する消費電力量推定値及びスリープモードからのウォームアップ時間とから構成されている。この消費電力量推定値及びスリープモードからのウォームアップ時間は、国際エネルギースタープログラムの規格に準じて行われた実験及び計算から得られたものである。
【００７８】
例えば、エコモードレベルが５では、スリープモード移行時間が１[分]、ヒータ温度がオフ（ＯＦＦ）、カラー印刷又はモノクロ印刷の区分がモノクロであり、そのときの推定消費電力は２．３４[ＫＷｈ]、ウォームアップ時間は、５４[秒]であることを示している。
【００７９】
図１２は、図１０のヘルプボタン５２が押下されたときに表示されるエコモード設定へルプ画面７０の例を示す図である。
【００８０】
エコモード設定ヘルプ画面７０の上部には、エコモードの説明が次のように表示されている。
【００８１】
「エコモードの説明
エコモードを設定すると、設定レベルに応じて、
省電力に関係する設定を変更します。
レベルが高いほど省電力の効果が高い設定になりますが、
その分ウォームアップ時間が長くなりカラー印刷が制限される
などの影響があります。」
【００８２】
画面の中段から下段にかけて、エコモードのレベルごとの設定値の一覧が表示されている。
【００８３】
例えば、エコモードレベルが１のときには、スリープモード移行時間が６０[分]で、ヒータ温度が高で、カラー印刷又はモノクロ印刷の区分がカラー（図１２の例では「Ｃｏｌｏｒ」と表示されている。）で、推定消費電力が１４．５９[ＫＷｈ]で、ウォームアップ時間が２０[秒]であるように設定されている。エコモードレベルが４，５のときには、カラー印刷が不可能となり、カラー印刷又はモノクロ印刷の区分は、モノクロ（図１２の例では「Ｍｏｎｏ」と表示されている。）に設定されている。
【００８４】
図１０のヘルプボタン５２が押下されると、図１２のエコモード設定ヘルプ画面７０が表示されて利用者にエコモード設定のガイダンスを提供するようになっている。閉じるボタン７１を押下することにより、本エコモード設定ヘルプ画面が閉じられるようになっている。
【００８５】
（実施例２の動作）
本実施例２の動作では、エコモード設定画面５０において、エコモードの設定を行った後、エコモード設定画面５０の決定ボタン５３を押下してエコモードのレベル設定を実行して関連する設定を行う場合と、エコモード設定画面５０のヘルプボタン５２を押下してエコモードのへルプ画面７０を表示する場合とを説明する。
【００８６】
図１３は、本実施例２におけるエコモード設定時のエコモード設定プログラム１６ｂの動作を示すフローチャートである。
【００８７】
操作表示部１４において、エコモード設定画面５０を呼び出す操作が行われ、図１０のエコモード設定画面５０が表示される。そこで、スリープモードの有効ボタン２１ａが選択され、印刷装置１０Ａにおいてスリープモードが有効となる。
【００８８】
ステップＳ３１において、エコモードレベルが利用者により入力され、エコモード設定プログラム１６ｂは、この値を取得する。ステップＳ３２において、エコモードレベルをキーとして、フラッシュメモリ１８に格納されているエコモード設定値テープ６０から該当するスリープモード移行時間[分]と、ヒータ温度とカラー印刷又はモノクロ印刷の区分とを読み出す。
【００８９】
読み出した情報に基づき、ステップＳ３３において、スリープモード移行時間を設定し、ステップＳ３４において、ヒータ温度を設定し、ステップＳ３５において、カラーモードを設定する。
【００９０】
図１４は、エコモードヘルプ画面７０を表示するときのエコモード設定プログラム１６ｂの動作を示すフローチャートである。
【００９１】
図１０のエコモード設定画面５０において、ヘルプボタン５２が押下されると、ステップＳ４１において、エコモード設定プログラム１６ｂは、フラッシュメモリ１８Ａに格納されているエコモード設定値テーブル６０を読み出す。
【００９２】
ステップＳ４２において、エコモード設定プログラム１６ｂは、読み出したエコモード設定値テーブル６０の情報に基づいて、エコモード設定ヘルプ画面７０を作成する。ステップＳ４３において、エコモード設定プログラム１６ｂは、作成したエコモード設定ヘルプ画面７０を操作表示部１４に表示する。
【００９３】
（実施例２の効果）
本実施例２の印刷装置１０Ａによれば、実施例１の（ａ）〜（ｃ）の効果に加え、次の（ｄ）及び（ｅ）のような効果がある。
【００９４】
（ｄ）  スリープモードにおける省電力のレベルを示すエコモードレベルごとに、設定値、推定消費電力量、及びウォームアップ時間を一括して設定したエコモード設定値テーブル６０を設け、利用者は、エコモードレベルをエコモード設定画面５０のレベル設定ボタン５１により選択することで、簡便に省電力のための設定値を設定することが可能となる。
【００９５】
（ｅ）  エコモード設定値テーブル６０の内容を操作表示部１４に表示し、目視により、エコモードレベルごとの設定値及び推定電力量及びウォームアップ時間を確認できるので、利用者は、利便性と省電力とのトレードオフをより容易に且つ適切に行うことが可能となる。
【００９６】
（変形例）
本発明は、上記実施例１、２に限定されず、種々の利用形態や変形が可能である。この利用形態や変形例としては、例えば、次の（１）〜（２）のようなものがある。
【００９７】
（１）  実施例１、２では、印刷装置１０，１０Ａとしてページプリンタを例に説明したが、本発明はページプリンタに限定されるものではなく、例えば、サーマルプリンタ、インクジェットプリンタ、ドットインパクトプリンタ等にも適用が可能である。又、印刷装置１０，１０Ａと同様の構成の印刷装置部を備えたファクシミリ装置、複写機、複合機等にも適用が可能である。
【００９８】
（２）  実施例１、２では、操作表示部１４として、タッチパネル付きのＬＣＤで説明したが、他のデバイスを用いて、操作部と表示部を分離するように構成してもよい。
【符号の説明】
【００９９】
１０，１０Ａ              印刷装置
１３                      定着部
１４                      操作表示部
１６，１６Ａ              ＲＯＭ
１６ａ                    表示設定プログラム
１６ｂ                    エコモード設定プログラム
１８，１８Ａ              フラッシュメモリ
２０                      スリープモード設定画面
３０                      スリープモード設定値テーブル
５０                      エコモード設定画面
６０                      エコモード設定値テーブル
７０                      エコモード設定ヘルプ画面
【図１】
0005460540.tif 000002
【図２】
0005460540.tif 000003
【図３】
0005460540.tif 000004
【図４】
0005460540.tif 000005
【図５】
0005460540.tif 000006
【図６】
0005460540.tif 000007
【図７】
0005460540.tif 000008
【図８】
0005460540.tif 000009
【図９】
0005460540.tif 000010
【図１０】
0005460540.tif 000011
【図１１】
0005460540.tif 000012
【図１２】
0005460540.tif 000013
【図１３】
0005460540.tif 000014
【図１４】
0005460540.tif 000015